(57)【要約】【課題】店舗などに迅速かつ容易に商品を陳列することができる陳列棚を提供すること。【解決手段】載置部４を有する棚背部１と、上記載置部４の左右両側にそれぞれ配置され、上記棚背部１に支持された左右一対の棚側部２Ａ，２Ｂと、上記棚背部１の下端部に設けられた底面部１１と、この底面部１１の裏面に設けられた車輪３１と、を備え、上記棚側部２Ａ，２Ｂが、上記棚背部１の上下方向に延びる軸線を介して回動可能に支持されていることを特徴とする。【選択図】図１
2007202651.tif 000002
【特許請求の範囲】
【請求項１】
載置部を有する棚背部と、
上記載置部の左右両側にそれぞれ配置され、上記棚背部に支持された左右一対の棚側部と、
上記棚背部の下端部に設けられた底面部と、
この底面部の裏面に設けられた車輪と、を備え、
上記棚側部が、上記棚背部の上下方向に延びる軸線を介して回動可能に支持されていることを特徴とする陳列棚。
【請求項２】
上記棚側部が、上記載置部を左右から挟み込むように上記棚背部に交差する方向に配された棚使用位置から、上記棚背部の後方へ向かうように上記軸線を介してほぼ９０°以上回動可能であることを特徴とする請求項１に記載の陳列棚。
【請求項３】
上記載置部が、上記棚背部に着脱可能に取り付けられることを特徴とする請求項１又は請求項２に記載の陳列棚。
【請求項４】
上記棚背部と上記棚側部との間には、上記棚側部を上記棚使用位置に回動不能に係止する第１係止機構が設けられていることを特徴とする請求項２又は請求項３に記載の陳列棚。
【請求項５】
上記棚側部が、上記棚使用位置と前後がほぼ逆になった搬送位置との間を回動可能であることを特徴とする請求項２から請求項４のいずれか一項に記載の陳列棚。
【請求項６】
上記棚側部に、把持部が設けられていることを特徴とする請求項１から請求項５のいずれか一項に記載の陳列棚。
【請求項７】
上記棚側部が、上記棚使用位置から上記搬送位置を越えて上記棚背部に沿った折畳位置まで回動可能であることを特徴とする請求項５又は請求項６に記載の陳列棚。
【請求項８】
上記棚背部と上記棚側部との間には、上記棚側部を上記折畳位置に回動不能に係止する第２係止機構が設けられていることを特徴とする請求項７に記載の陳列棚。
【請求項９】
上記棚背部と上記棚側部との間には、上記棚側部を少なくとも上記搬送位置において所定の大きさの力で位置固定するクリック機構が設けられていることを特徴とする請求項５から請求項８のいずれか一項に記載の陳列棚。
【発明の詳細な説明】
【技術分野】
【０００１】
この発明は、商品等の物品を陳列するための陳列棚に関する。
【背景技術】
【０００２】
一般に、この種の陳列棚は、下記特許文献１に記載されているように、棚本体を有している。棚本体は、主フレームと、この主フレームの左右両側に設けられた側フレームと、上下に離間して配置され、主フレームに支持された複数の棚板とによって構成されている。そして、このような陳列棚を店舗などに設置し、この陳列棚に商品を陳列するようになっている。
【特許文献１】特開２００５−３３４３８２号公報
【発明の開示】
【発明が解決しようとする課題】
【０００３】
しかしながら、上記従来の陳列棚においては、以下のような問題がある。すなわち、陳列棚に商品を陳列する際、台車などに商品を載せて、その台車ごと陳列棚の近傍まで運搬してから、台車上の各商品を陳列棚に陳列するため、陳列作業負担が増大してしまう。
また、棚板に比較的大きな商品を積み下ろしする場合には、両手で商品の左右両端部を支持して行うことが一般的である。この場合、棚板の中央部には商品を問題なく陳列することができるが、棚板の左右両端部に陳列する際には、側フレームと商品との間に手を挿入しなければならず、側フレームが邪魔になる。このため、大きな商品を棚板の両端部に陳列することが困難となってしまう。
【０００４】
本発明は、このような事情に鑑みてなされたものであって、店舗などに迅速かつ容易に商品を陳列することができる陳列棚を提供することを目的とする。
【課題を解決するための手段】
【０００５】
この発明は、上記の問題を解決するために、載置部を有する棚背部と、上記載置部の左右両側にそれぞれ配置され、上記棚背部に支持された左右一対の棚側部と、上記棚背部の下端部に設けられた底面部と、この底面部の裏面に設けられた車輪と、を備え、上記棚側部が、上記棚背部の上下方向に延びる軸線を介して回動可能に支持されていることを特徴としている。
【０００６】
この場合、上記棚側部が、上記載置部を左右から挟み込むように上記棚背部に交差する方向に配された棚使用位置から、上記棚背部の後方へ向かうように上記軸線を介してほぼ９０°以上回動可能であることが好ましい。
また、上記載置部が、上記棚背部に着脱可能に取り付けられることが好ましい。
また、上記棚背部と上記棚側部との間には、上記棚側部を上記棚使用位置に回動不能に係止する第１係止機構が設けられていることが好ましい。このように構成した場合には、棚側部が棚使用位置から後方へ向かって不用意に回動することを阻止することができ、載置部に載置された物品が載置部の左右両側部から落ちることを未然に防止することができる。
【０００７】
また、上記棚側部が、上記棚使用位置と前後がほぼ逆になった搬送位置との間を回動可能であることが好ましい。このように構成すれば、搬送位置に回動した棚側部を手で持ち、陳列棚を押して容易に移動させることができる。
【０００８】
また、上記棚側部に、把持部が設けられていることが好ましい。このように構成すれば、把持部を手で持って押すことができ、それによって陳列棚を容易に移動させることができる。
【０００９】
また、上記棚側部が、上記棚使用位置から上記搬送位置を越えて上記棚背部に沿った折畳位置まで回動可能であることが好ましい。このように構成すれば、多数の陳列棚を左右に並べて使用する際に棚側部が邪魔になることがない。
【００１０】
また、上記棚背部と上記棚側部との間には、上記棚側部を上記折畳位置に回動不能に係止する第２係止機構が設けられていることが好ましい。このように構成すれば、側フレームが折畳位置から棚使用位置側へ向かって不用意に回動することを阻止することができる。
【００１１】
また、上記棚背部と上記棚側部との間には、上記棚側部を少なくとも上記搬送位置において所定の大きさの力で位置固定するクリック機構が設けられていることが好ましい。このように構成すれば、棚側部が搬送位置において固定されるので、搬送位置に回動した棚側部を持って陳列棚を移動させる際に、容易に移動させることができる。
【発明の効果】
【００１２】
上記特徴構成を有するこの発明によれば、載置部の両端から棚側部を回動させて、棚板部を把持することにより、商品を載置させたまま陳列棚を容易に移動させることができ、台車などを不要にすることができる。また、棚側部を回動させて載置部の左右両側部を開放することにより、物品を載置部に容易に陳列することができる。しかも、陳列作業中に物品と棚板部との間に手を挟んでしまうような事態を未然に防止することができる。
【発明を実施するための最良の形態】
【００１３】
以下、この発明を実施するための最良の形態を、図面を参照して説明する。
図１〜図７は、この発明の第１実施の形態を示す。この実施の形態の陳列棚Ａは、棚本体部（棚本体）Ｂを備えている。棚本体部Ｂは、主フレーム（棚背部）１及び左右一対の側フレーム（棚側部）２Ａ，２Ｂを有している。なお、陳列棚Ａの幅方向を左右とし、陳列棚Ａの奥行方向を前後方向、陳列棚Ａの高さ方向を上下方向とする。
【００１４】
主フレーム１は、その下端部に長方形又は正方形状をなす下枠部（底面部）１１を有している。下枠部１１は、水平に配置されている。下枠部１１の上面には、載置板１２が嵌合固定されている。下枠部１１及び載置板１２の上には、商品等の物品が載置される。下枠部１１の下面の四隅部には、車輪３１を有するキャスター３がそれぞれ設けられている。これにより、陳列棚Ａを容易に移動させることができる。しかも、キャスター３は、車輪３１を回動不能に固定するストッパ機構を有しており、車輪３１を固定することにより、陳列棚Ａを停止状態に維持することができる。
【００１５】
載置板１２の後端側（図３において右側）の両隅部には、支柱１３，１３がそれぞれ立設固定されている。支柱１３，１３の上端部間には、横材１４が掛け渡されている。載置板１２、支柱１３，１３及び横材１４によって区画される長方形の空間には、背板１５が嵌合固定されている。なお、支柱１３，１３、横材１４及び背板１５は、主フレーム（棚背部）１を構成するものである。
【００１６】
図２に示すように、背板１５の左右方向の一側部（図２において左側部）には、対をなす係止孔１５ａ，１５ａが複数対（この実施の形態では三対）形成されている。三対の係止孔１５ａ，１５ａは、上下方向に所定距離だけ離間して配置されている。背板１５の左右方向の他側部には、対をなす係止孔１５ｂ，１５ｂが係止孔１５ａ，１５ａと同数対だけ形成されている。三対の係止孔１５ｂ，１５ｂは、上下方向に所定距離だけ離間して配置されている。しかも、三対の係止孔１５ｂ，１５ｂは、三対の係止孔１５ａ，１５ａとそれぞれ同一高さに配置されている。同一高さに配置された２個づつの係止孔１５ａ，１５ｂが一組になっている。図１及び図３に示すように、一組の係止孔１５ａ，１５ｂ（左右二個づつの計四つ）によって棚板４の後端部が、背板１５に着脱可能に係止されている。棚板４は、水平に支持されており、その上に商品等の物品が載置される。したがって、棚板４によって載置部が構成されている。なお、棚板４は、図１及び図３以外の図においては省略されている。また、係止孔１５ａ，１５ｂによる棚板４の係止構造は、周知のものであるのでその説明は省略する。
【００１７】
上記側フレーム２Ａは、主フレーム１の一側部（図２において右側部）に配置されており、上下に長い略長方形の横枠部２１を有している。横枠部２１は、横材２２によって補強されている。横枠部２１の後下端部は、下枠部１１の後右隅部に鉛直な軸線（下枠部１１に直交する方向であって、上下方向に延びる軸線）を中心として回動可能に支持されている。横枠部２１の後上端部は、支柱１３及び横材１４にわたって設けられたブラケット５により、横枠部２１の下端部の回動軸線と同一の軸線を中心として回動可能に支持されている。これにより、側フレーム２Ａが、その後端部を中心として主フレーム１に水平方向へ回動可能に支持されている。
【００１８】
側フレーム２Ａは、図１及び図５に示す棚使用位置と図７に示す折畳位置との間を回動可能である。側フレーム２Ａは、棚使用位置に位置したときには、その短手方向を前後方向に向けており、主フレーム１の右側部に沿っている。しかも、側フレーム２Ａは、棚板４の右側面にほぼ接している。これにより、棚板４上に載置された物品が右側部から落下することが防止されている。
【００１９】
側フレーム２Ａは、その前端部が棚板４から離間して後方へ向かう方向へ回動し、同方向へ棚使用位置から９０°回動すると展開位置に達する。展開位置では、側フレーム２Ａが背板１５より若干後方に位置し、かつ背板１５と平行になる。展開位置からさらに９０°回動すると、つまり棚使用位置から後方へ向かって１８０°回動すると、図６に示す搬送位置に達する。搬送位置においては、側フレーム２Ａの前後が棚使用位置に位置しているときと逆になり、横枠部２１の前端部２１ａを手で持って陳列棚Ａを前方へ押すことができる。したがって、前端部２１ａが把持部になっている。側フレーム２Ａが搬送位置からさらに９０°回動すると、折畳位置に達する。折畳位置では、側フレーム２Ａが背板１５の背面に沿うように位置する。
【００２０】
側フレーム２Ａの前下端部には、ロックピン６が上下方向へ移動可能に設けられている。一方、下枠部１１の上面の右側部には、図６及び図７に示すように、係合孔１１ａが形成されている。この係合孔１１ａは、側フレーム２Ａが棚使用位置に回動したときに、ロックピン６と対向するように配置されており、ロックピン６が挿脱可能に挿入される。ロックピン６が係合孔１１ａに挿入されることにより、側フレーム２Ａが棚使用位置に位置固定される。したがって、ロックピン６及び係合孔１１ａによって第１係止機構が構成されている。
【００２１】
図４に示すように、下枠部１１の上面の後端部には、係合孔１１ｂが形成されている。この係合孔１１ｂは、側フレーム２Ａが折畳位置に回動したときに、ロックピン６と対向するように配置されており、ロックピン６が挿脱可能に挿入される。ロックピン６が係合孔１１ｂに挿入されることにより、側フレーム２Ａが折畳位置に位置固定される。したがって、ロックピン６及び係合孔１１ｂによって第２係止機構が構成されている。
【００２２】
側フレーム２Ａと下枠部１１及び／又はブラケット５との間には、クリック機構（図示せず）が設けられている。このクリック機構は、側フレーム２Ａが展開位置及び搬送位置に位置したときに、所定の大きさの力で側フレーム２Ａを主フレーム１に位置固定する。なお、クリック機構は、周知のものであるのでその説明は省略する。
【００２３】
側フレーム２Ｂは、側フレーム２Ａと左右対称に構成されている。そこで、側フレーム２Ｂに関する構成については、側フレーム２Ａの構成と同様な部分に同一符号を付してその説明を省略する。
【００２４】
上記構成の陳列棚Ａにおいては、側フレーム２Ａ，２Ｂを棚使用位置に位置させることにより、通常の陳列棚として使用することができる。その一方、側フレーム２Ａ，２Ｂを搬送位置に位置させると、下枠部１１に商品を載置したまま、前端部２１ａを把持して押すことにより、陳列棚Ａを台車として機能させることができる。そのため、台車を別個に用意する必要がなく、商品を迅速かつ容易に陳列することができる。
また、側フレーム２Ａ，２Ｂは、クリック機構により搬送位置において固定されることから、搬送中に側フレーム２Ａ，２Ｂが振れることを防止することができ、安定して確実に陳列棚Ａを移動させることができる。
また、棚板４が着脱可能であることから、高さ寸法の大きな商品であっても、棚板４を外して下枠部１１に載置することにより、その商品を容易に運ぶことができる。さらに、棚板４を設置して、各棚板４に商品を載置したまま、陳列棚Ａを移動させることも可能となる。
【００２５】
さらに、側フレーム２Ａ，２Ｂを展開位置や折畳位置に位置させると、下枠部１１及び載置板１２、あるいは各棚板４に物品を載置たり、降ろしたりするときに手指を商品と側フレーム２Ａ，２Ｂとの間に挟むことがない。したがって、物品の載置、降ろしを容易に行うことができる。しかも、側フレーム２Ａ，２Ｂは、少なくとも展開位置において所定の力で位置固定されるので、物品の積み下ろし中に側フレーム２Ａ，２Ｂが不用意に棚使用位置側へ回動することがない。
【００２６】
また、側フレーム２Ａ，２Ｂを展開位置又は折畳位置に位置させた状態で陳列棚Ａを左右に並べることにより、隣接する陳列棚Ａ，Ａの棚板４，４を側フレーム２Ａ又は２Ｂによって区分されることなく、左右に連続した状態にすることができる。さらに、側フレーム２Ａ，２Ｂを搬送位置に回動させることにより、側枠部２１の前端部（把持部）２１ａを手でもって押すことにより、陳列棚Ａを移動させることができる。このとき、側フレーム２が主フレーム１に所定の力で位置固定されているので、陳列棚Ａの移動を容易に行うことができる。
【００２７】
図８は、この発明の第２実施の形態を示す。この実施の形態の陳列棚Ａ１においては、横材１４の背面にトップボード７の下端部が固定されている。このトップボード７には、陳列されている物品の名称、その他各種の文字、図形等を記載することができる。また、側フレーム２Ａ，２Ｂの横枠部２１には、化粧板２３が固定されている。
【００２８】
図９は、この発明の第３実施の形態を示す。この実施の形態の陳列棚Ａ２においては、横材１４にメッシュボード８が着脱可能に装着されている。このメッシュボード８には、各種の小物等を吊り下げ状態で陳列することができる。
【００２９】
なお、この発明は、上記の実施の形態に限定されるものでなく、その要旨を逸脱しない範囲において適宜変更可能である。
例えば、上記の実施の形態においては、側フレーム２Ａ，２Ｂを枠状に形成しているが、平板によって構成してもよい。
【図面の簡単な説明】
【００３０】
【図１】この発明の第１実施の形態を示す斜視図である。
【図２】同実施の形態の棚板を省略して示す正面図である。
【図３】同実施の形態の側面図である。
【図４】同実施の形態の棚板を省略して示す平面図である。
【図５】同実施の形態の、棚板を省略し、かつ側フレームを棚使用位置に位置させた状態で示す斜視図である。
【図６】同実施の形態の、棚板を省略し、かつ側フレームを搬送位置に位置させた状態で示す斜視図である。
【図７】同実施の形態の、棚板を省略し、かつ側フレームを折畳位置に位置させた状態で示す斜視図である。
【図８】この発明の第２実施の形態の要部を示す斜視図である。
【図９】この発明の第３実施の形態の要部を示す斜視図である。
【符号の説明】
【００３１】
Ａ  陳列棚
Ａ１  陳列棚
Ａ２  陳列棚
Ｂ  棚本体部（棚本体）
１  主フレーム（棚背部）
２Ａ  側フレーム（棚側部）
２Ｂ  側フレーム（棚側部）
４  棚板（載置部）
６  ロックピン（第１、第２係止機構）
１１  下枠部（底面部）
１１ａ  係合孔（第１係止機構）
１１ｂ  係合孔（第２係止機構）
１２  載置板
２１ａ  前端部（把持部）
３１  車輪
【図１】
2007202651.tif 000003
【図２】
2007202651.tif 000004
【図３】
2007202651.tif 000005
【図４】
2007202651.tif 000006
【図５】
2007202651.tif 000007
【図６】
2007202651.tif 000008
【図７】
2007202651.tif 000009
【図８】
2007202651.tif 000010
【図９】
2007202651.tif 000011